(57)【要約】【課題】  ＰＤＣ線による高圧引下線が、風や振動により、装柱機器（高圧カットアウトや変圧器類）と接触し、配電線事故を誘発することを防止する。【解決手段】  ＰＤＣ線５（高圧引下線）を屈曲させたい部分にＳ字型把持部材１０を取付け、ＰＤＣ線５を屈曲させることにより、高圧カットアウト４等の装柱機器にＰＤＣ線５が接触することを防ぐ。Ｓ字型把持部材１０の一方の開口部Ａを電線の外径よりも小さく形成することで把持部材の落下を防止し、他方の開口部Ｂを電線の外径よりも大きくすることで取付時の作業性を向上させたことを特徴とする。【選択図】図２
2009165334.tif 000002
【特許請求の範囲】
【請求項１】
高圧配電線の本線から引き出される高圧引下線に装着され、該高圧引下線を屈曲させる把持部材において、Ｓ字型の形状であることを特徴とする電線把持部材。
【請求項２】
前記電線把持部材のＳ字型開口部分の少なくとも一方の間隙が被覆絶縁体を含んだ電線の外径よりも小さく、内部導体径よりも大きいことを特徴とする請求項１記載の電線把持部材。
【請求項３】
前記電線把持部材のＳ字型開口部の一方の間隙は電線の外径よりも小さいが内部導体径よりも大きく、他方の間隙は電線外径よりも大きいことを特徴とする請求項１記載の電線把持部材。
【請求項４】
請求項１から３のいずれか１項に記載されている電線把持部材を使用した高圧引下線の配線方法。
【発明の詳細な説明】
【技術分野】
【０００１】  本発明は、高圧配電線の本線から引き出される高圧引下線に装着され、該高圧引下線を屈曲させる把持部材に関するものである。
【背景技術】
【０００２】  図３は、高圧配電線から低圧配電線へ中継する電柱の構造を示したものである。図に示すように、高圧配電線（例えば６６００ボルトが供給される）の本線１から電柱２上に設置された変圧器３に配線する場合、高圧引下線５が高圧カットアウト４を介して変圧器３まで敷設される。この高圧引下線５には、軟銅線に架橋ポリエチレン被覆を施したＰＤＣ線等が用いられる。【０００３】  ここで、ＰＤＣ線には単芯の銅線が使用されており、電線自体に曲げ癖が付くことから高圧引下線５の本線１と碍子間の線５ａ、碍子と高圧カットアウト４間の線５ｂ、高圧カットアウト４と変圧器３間の線５ｃは、曲げ部材を使用せずに電線自体の曲げ癖を利用して配線が形成されていた。【０００４】  しかし、単芯のＰＤＣ線においては、電柱の振動や強風の影響でＰＤＣ線が揺動し、接続部から応力断線する事故が発生していることから、断線対策のために芯線に撚線を使用したＰＤＣ線が使用され始めている。
【発明の開示】
【発明が解決しようとする課題】
【０００５】  芯線に撚線を使用したＰＤＣ線は、応力断線に対しては単芯線よりも耐久性があるが、電線自体に曲げ癖が付かないことから、図３の高圧カットアウト４や変圧器３の周りの配線５ｂ、５ｃで、ＰＤＣ線が装柱機器（変圧器、高圧カットアウト、アームなど）に接触して架橋ポリエチレン被覆が損傷し芯線が露出することで、地絡事故が発生する新たな問題が発生している。【０００６】  本発明は、このようにＰＤＣ線が装柱機器に接触して損傷することが無いように電線を強制的に屈曲させる部材で、配線後であっても容易に取付け可能な部材を提供することを目的としている。
【課題を解決するための手段】
【０００７】  上記目的を達成するため、本発明は、電線にＳ字型の把持部材を取り付け、把持部材により電線を強制的に屈曲させて、電線が装柱機材に接触しないようにしている。把持部材をＳ字型にすることによって、配線済みの電線にも容易に取付けることができることを特徴としている。【０００８】  また、電線に取付けた把持部材が容易に外れないようにＳ字型の開口部の間隙が電線の芯線の外径より大きく、被覆外径よりも小さいことを特徴としている。【０００９】  また、配線後であっても電線に把持部材が取付けやすいように、Ｓ字型の開口部の片方を電線の被覆外径より大きくしたことを特徴とする電線の把持部材。
【発明の効果】
【００１０】  本発明に係わる電線把持部材は、電線を屈曲させて固定することができるため、高圧引下線の装柱において、電線が装柱機器に接触して発生する地絡事故を防止することができる。
【発明を実施するための最良の形態】
【００１１】  以下、図面を参照して本発明の実施の形態例を詳細に説明する。図１は、本実施例の把持部材の形状を説明する図である。図において、１０はＳ字型把持部材本体、Ａは開口部のひとつ、Ｂは別の開口部である。図２（ａ）、（ｂ）は本実施例を電線５に取付ける手順を示している。【００１２】  図１の把持部材１０は、全長が６５ｍｍの外形がＳ字型の形状をした構造をしている。把持部材１０は、電線の被覆に接触するので絶縁が必要であり、電線を屈曲保持するための強度と耐候性も必要であることから、実施例では、厚さ５ｍｍの樹脂（ポリカーボネート）を使用している。把持部材１０の材質としては、高電圧に対して絶縁性を有する材料であれば、他の樹脂や金属に絶縁処理を施した材料を使用することもできる。【００１３】  把持部材１０には、開口部Ａと開口部Ｂが形成されており、この開口部によりＳ字型の形状になっている。裏返すと逆Ｓ字型に見える。開口部Ａの開口寸法は、当該電線の外径よりも小さいが、他の開口部Ｂは、電線の外径よりも大きくなっている。【００１４】  図２（ａ）、（ｂ）は把持部材１０を電線５に取付けて、電線を屈曲保持する手順を説明する図である。図２（ａ）は電線５を把持部材１０の開口部Ａに接触している状態を示している。開口部Ａの寸法は、電線５の芯線１２の外径より大きく被覆１３の外径より小さい。従って、電線５を挿入する時は、被覆１３が変形して開口部Ａを通過するが、電線５が把持部材１０の開口部Ａに入り込んだ後は、大きな力を加えないとはずれない。開口部Ａの寸法は、電線５の芯線１２の外径と被覆１３の厚みと弾性により、電線挿入時に適度な力で挿入でき、挿入した後は簡単に外れないように決定している。【００１５】  次に図２（ｂ）は、把持部材１０の開口部Ａに挿入した電線５を屈曲させて、開口部Ｂに挿入しようとする図である。開口部Ｂは、電線５の被覆１３の外径よりも大きいので屈曲させた電線５を容易に把持部材１０の開口部Ｂに挿入することができる。開口部Ｂへの挿入作業時に万一手が離れても開口部Ａに電線５が入り込んでいるので、把持部材１０が電線５から外れ落ちることはない。【００１６】  把持部材１０の形状は、電線５の被覆１３の外径と材料弾性に合わせて開口部Ａと開口部Ｂの間隔を調整して作成しているので、電線５は、自身の弾性で把持部材１０の開口部Ａと開口部Ｂが開くように押し付けられる。従って、把持部材１０は電線５の振動や揺動によって外れることは無い。
【実施例】
【００１７】  図４に本発明の把持部材の取付け例を示す。図は３連高圧カットアウト４の中央のカットアウトのＰＤＣ線５に把持部材１０を取付けている。３連カットアウト４の間隔はおよそ１００ｍｍしかないので把持部材１０を使用しない場合は、ＰＤＣ線５が隣接の高圧カットアウトに接触してしまう。把持部材１０を使用すれば、約４５ｍｍでＰＤＣ線５を垂直に屈曲把持できるので、隣接のカットアウトに接触することなく配線することが可能になった。
【図面の簡単な説明】
【００１８】
【図１】把持部材の実施形態例を示す斜視図である。
【図２】取付手順を示す斜視図である。
【図３】電柱の高圧引下線の取付状態例の斜視図である。
【図４】取付状態例の上面図である。
【符号の説明】
【００１９】  １  高圧電線
２  電柱
３  変圧器
４  高圧カットアウト
５  ５ａ、５ｂ、５ｃ  ＰＤＣ線（高圧引下線）
１０  把持部材
１２  芯線
１３  被覆
２０  アーム
Ａ  把持部材の開口部Ａ
Ｂ  把持部材の開口部Ｂ
【図１】
2009165334.tif 000003
【図２】
2009165334.tif 000004
【図３】
2009165334.tif 000005
【図４】
2009165334.tif 000006